(57)【要約】本願は拭き部材、拭き装置、掃除ロボット及び掃除ロボットの制御方法に関する。当該拭き部材は第一モップと第二モップを含み、第一モップは第一回転中心を有し、第二モップは第二回転中心を有し、第一回転中心と第二回転中心との距離が回転中心距離になる。第一モップと第二モップの回転時に、その中の一つのモップの短径縁部がもう一つのモップの長径縁部に対応し、第一回転中心と第二回転中心との連結線において、その中の一つのモップの短径縁部ともう一つのモップの対応する長径縁部との間に、第一モップと第二モップ間の隙間が形成されている。【選択図】図１
2021535785.tif 000002
【特許請求の範囲】
【請求項１】
掃除ロボットに用いられて、床を拭いたり清掃したりするための拭き部材であって、第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部と第一短径縁部とが互いに接続されている点は第一端点であり、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、前記第一端点から前記第一回転中心までの距離は前記回転中心距離の半分に等しく、
前記第二モップは第二長径縁部と第二短径縁部を含み、前記第二長径縁部と第二短径縁部とが互いに接続されている点は第二端点であり、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、前記第二端点から前記第二回転中心までの距離は前記回転中心距離の半分に等しく、
前記第一モップと第二モップの回転時に、前記第一回転中心と第二回転中心との連結線において、前記第一モップと前記第二モップとの間の隙間は前記第一長径縁部と前記第二短径縁部との間に形成されているか、或いは、前記第一モップと第二モップとの間の隙間は前記第二長径縁部と前記第一短径縁部との間に形成されている、
ことを特徴とする拭き部材。
【請求項２】
前記第一回転中心と第二回転中心との連結線において、前記第一モップと第二モップとの間の隙間幅が０であり、前記第一モップと第二モップとがちょうど接触または押されて干渉されるか、或いは、
前記第一回転中心と第二回転中心との連結線において、前記第一モップと第二モップとの間の隙間幅が０より大きく、前記第一モップと第二モップとが離間している、
ことを特徴とする請求項１に記載の拭き部材。
【請求項３】
前記第一モップと前記第二モップの側辺輪郭線の形状が同一であり、
前記第一モップは同じ複数本の前記第一長径縁部及び同じ複数本の前記第一短径縁部を含み、複数本の前記第一長径縁部と複数本の前記第一短径縁部とが交互に接続され、前記第一長径縁部上の点から第一回転中心までの距離は二つの端点から中点へ次第に大きくなり、前記第一短径縁部上の点から第一回転中心までの距離は二つの端点から中点へ次第に小さくなり、
前記第二モップは同じ複数本の前記第二長径縁部及び同じ複数本の前記第二短径縁部を含み、複数本の前記第二長径縁部と複数本の前記第二短径縁部とが交互に接続され、前記第二長径縁部上の点から第二回転中心までの距離は二つの端点から中点へ次第に大きくなり、前記第二短径縁部上の点から第二回転中心までの距離は二つの端点から中点へ次第に小さくなる、
ことを特徴とする請求項１に記載の拭き部材。
【請求項４】
前記第一長径縁部は前記第一回転中心から外へと凸出する弧形縁部であり、前記第一短径縁部は直線縁部であり或いは前記第一回転中心から外へと凸出する弧形縁部であり、
前記第二長径縁部は前記第二回転中心から外へと凸出する弧形縁部であり、前記第二短径縁部は直線縁部であり或いは前記第二回転中心から外へと凸出する弧形縁部である、
ことを特徴とする請求項３に記載の拭き部材。
【請求項５】
前記第一長径縁部は前記第一回転中心から外へと凸出する弧形縁部であり、前記第一短径縁部は直線縁部或いは前記第一回転中心から外へと凸出する弧形縁部であり、
前記第二長径縁部は前記第二回転中心から外へと凸出する弧形縁部であり、前記第二短径縁部は直線縁部であり或いは前記第二回転中心から外へと凸出する弧形縁部である、
ことを特徴とする請求項１に記載の拭き部材。
【請求項６】
第一回転盤、第二回転盤及び拭き部材とを含む拭き装置であって、前記第一回転盤の側辺と前記第二回転盤の側辺とが離間して設置され、前記拭き部材は第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部と第一短径縁部とが互いに接続されている点は第一端点であり、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、前記第一端点から前記第一回転中心までの距離は前記回転中心距離の半分に等しく、
前記第二モップは第二長径縁部と第二短径縁部を含み、前記第二長径縁部と第二短径縁部とが互いに接続されている点は第二端点であり、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、前記第二端点から前記第二回転中心までの距離は前記回転中心距離の半分に等しく、
前記第一モップと第二モップの回転時に、前記第一回転中心と第二回転中心との連結線において、前記第一モップと第二モップとの間の隙間は前記第一長径縁部と前記第二短径縁部との間に形成されているか、或いは、前記第一モップと第二モップとの間の隙間は前記第二長径縁部と前記第一短径縁部との間に形成されており、
前記第一モップは前記第一回転盤の底部に固定接続されて且つ前記第一回転盤に伴って回転し、前記第二モップは前記第二回転盤の底部に固定接続されて且つ前記第二回転盤に伴って回転し、前記第一回転盤の回転軸線は前記第一回転中心を通り、前記第二回転盤の回転軸線は前記第二回転中心を通る、
ことを特徴とする拭き装置。
【請求項７】
前記第一回転盤の側辺輪郭線と前記第一モップの側辺輪郭線との形状が同じであり、前記第一回転盤の側辺輪郭線は前記第一モップの側辺輪郭線内にあり、
前記第二回転盤の側辺輪郭線と前記第二モップの側辺輪郭線との形状が同じであり、前記第二回転盤の側辺輪郭線は前記第二モップの側辺輪郭線内にある、
ことを特徴とする請求項６に記載の拭き装置。
【請求項８】
前記第一回転盤の側辺輪郭線と前記第一モップの側辺輪郭線との形状が同じであり、或いは前記第一回転盤の側辺輪郭線は前記第一モップの側辺輪郭線内にあり、
前記第二回転盤の側辺輪郭線と前記第二モップの側辺輪郭線との形状が同じであり、或いは前記第二回転盤の側辺輪郭線は前記第二モップの側辺輪郭線内にある、
ことを特徴とする請求項６に記載の拭き装置。
【請求項９】
前記第一回転中心と第二回転中心との連結線において、前記第一モップと第二モップとの間の隙間幅が０であり、前記第一モップと第二モップとがちょうど接触または押されて干渉されるか、或いは、
前記第一回転中心と第二回転中心との連結線において、前記第一モップと第二モップとの間の隙間幅が０より大きく、前記第一モップと第二モップとが離間している、
ことを特徴とする請求項６に記載の拭き装置。
【請求項１０】
前記第一モップと前記第二モップの側辺輪郭線の形状が同一であり、
前記第一モップは同じ複数本の前記第一長径縁部及び同じ複数本の前記第一短径縁部を含み、複数本の前記第一長径縁部と複数本の前記第一短径縁部とが交互に接続され、前記第一長径縁部上の点から第一回転中心までの距離は二つの端点から中点へ次第に大きくなり、前記第一短径縁部上の点から第一回転中心までの距離は二つの端点から中点へ次第に小さくなり、
前記第二モップは同じ複数本の前記第二長径縁部及び同じ複数本の前記第二短径縁部を含み、複数本の前記第二長径縁部と複数本の前記第二短径縁部とが交互に接続され、前記第二長径縁部上の点から第二回転中心までの距離は二つの端点から中点へ次第に大きくなり、前記第二短径縁部上の点から第二回転中心までの距離は二つの端点から中点へ次第に小さくなる、
ことを特徴とする請求項６に記載の拭き装置。
【請求項１１】
前記第一長径縁部は前記第一回転中心から外へと凸出する弧形縁部であり、前記第一短径縁部は直線縁部或いは前記第一回転中心から外へと凸出する弧形縁部であり、
前記第二長径縁部は前記第二回転中心から外へと凸出する弧形縁部であり、前記第二短径縁部は直線縁部であり或いは前記第二回転中心から外へと凸出する弧形縁部である、
ことを特徴とする請求項６に記載の拭き装置。
【請求項１２】
前記第一モップの底面と第二モップの底面とが面一になっている、
ことを特徴とする請求項６に記載の拭き装置。
【請求項１３】
拭き駆動機構及び拭き装置を含む掃除ロボットであって、前記拭き装置は第一回転盤、第二回転盤及び拭き部材とを含み、前記第一回転盤の側辺と前記第二回転盤の側辺とが離間して設置され、前記拭き部材は第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部と第一短径縁部とが互いに接続されている点は第一端点であり、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、前記第一端点から前記第一回転中心までの距離は前記回転中心距離の半分に等しく、
前記第二モップは第二長径縁部と第二短径縁部を含み、前記第二長径縁部と第二短径縁部とが互いに接続されている点は第二端点であり、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、前記第二端点から前記第二回転中心までの距離は前記回転中心距離の半分に等しく、
前記第一モップと第二モップの回転時に、前記第一回転中心と第二回転中心との連結線において、前記第一モップと第二モップとの間の隙間は前記第一長径縁部と前記第二短径縁部との間に形成されているか、或いは、前記第一モップと第二モップとの間の隙間は前記第二長径縁部と前記第一短径縁部との間に形成されており、
前記第一モップは前記第一回転盤の底部に固定接続されて且つ前記第一回転盤に伴って回転し、前記第二モップは前記第二回転盤の底部に固定接続されて且つ前記第二回転盤に伴って回転し、前記第一回転盤の回転軸線は前記第一回転中心を通り、前記第二回転盤の回転軸線は前記第二回転中心を通り、
前記拭き駆動機構による駆動の下で、前記第一回転盤及び第一モップが当該掃除ロボットのベースに対して前記第一回転盤の回転軸線周りに回転でき、前記第二回転盤及び第二モップが当該掃除ロボットのベースに対して前記第二回転盤の回転軸線周りに回転できる、
ことを特徴とする掃除ロボット。
【請求項１４】
前記第一回転盤の側辺輪郭線と前記第一モップの側辺輪郭線との形状が同じであり、前記第一回転盤の側辺輪郭線は前記第一モップの側辺輪郭線内にあり、
前記第二回転盤の側辺輪郭線と前記第二モップの側辺輪郭線との形状が同じであり、前記第二回転盤の側辺輪郭線は前記第二モップの側辺輪郭線内にある、
ことを特徴とする請求項１３に記載の掃除ロボット。
【請求項１５】
前記拭き駆動装置は第一出力軸及び第二出力軸を含み、前記第一出力軸の下端は前記第一回転盤の回転中心位置に接続され、前記第二出力軸の下端は前記第二回転盤の回転中心位置に接続され、前記第一出力軸の軸心は前記第一回転盤の回転軸線と重なり合って、前記第二出力軸の軸心は前記第二回転盤の回転軸線と重なり合っている、
ことを特徴とする請求項１３に記載の掃除ロボット。
【請求項１６】
前記拭き駆動機構はさらにウォームモータ、前記第一出力軸と駆動するように接続されている第一ウォームホイール及び前記第二出力軸と駆動するように接続されている第二ウォームホイールとを含み、前記ウォームモータはトルクを出力するためのものであり、前記第一ウォームホイール及び第二ウォームホイールは何れも前記ウォームモータと噛み合って、前記第一出力軸及び第二出力軸にトルクを伝達する、
ことを特徴とする請求項１５に記載の掃除ロボット。
【請求項１７】
前記第一回転盤上には、前記第一出力軸の形状に合わせた第一軸スリーブが設置されており、前記第一出力軸は取り外し可能に前記第一軸スリーブ内に挿接され、前記第一出力軸の外周面と前記第一軸スリーブの内壁面とが互いに位置を制限して、前記第一出力軸と前記第一軸スリーブとの相対的回転を制限し、
前記第二回転盤上には、前記第二出力軸の形状に合わせた第二軸スリーブが設置されており、前記第二出力軸は取り外し可能に前記第二軸スリーブ内に挿接され、前記第二出力軸の外周面と前記第二軸スリーブの内壁面とが互いに位置を制限して、前記第二出力軸と前記第二軸スリーブとの相対的回転を制限し、
前記第一出力軸と前記第一軸スリーブとは複数の第一挿接位置を有することにより、前記第一回転盤及び第一モップが掃除ロボットのベースに対して複数の第一取付位置を有するようにして、前記第二出力軸と前記第二軸スリーブとは複数の第二挿接位置を有することにより、前記第二回転盤及び第二モップが掃除ロボットのベースに対して複数の第二取付位置を有するようにして、これにより、前記第一モップ及び第二モップを目標相対取付位置に位置させ、前記第一モップ及び第二モップが目標相対取付位置に位置する場合、前記第一回転中心と第二回転中心との連結線において、前記第一モップと第二モップとの間の隙間は前記第一長径縁部と前記第二短径縁部との間に形成されているか、或いは、前記第一モップと第二モップとの間の隙間は前記第二長径縁部と前記第一短径縁部との間に形成されている、
ことを特徴とする請求項１５に記載の掃除ロボット。
【請求項１８】
前記第一モップが前記第一回転中心周りに規定角度回転する度に回転前の形状と重なり合い、前記第二モップが前記第二回転中心周りに規定角度回転する度に回転前の形状と重なり合い、前記第一出力軸と前記第一軸スリーブとの間に複数の第一挿接位置が存在し、隣り合う第一挿接位置の間の回転角度が前記規定角度のＮ倍であり、
前記第二出力軸と前記第二軸スリーブとの間に複数の第二挿接位置が存在し、隣り合う第二挿接位置の間の回転角度が前記規定角度のＮ倍であり、ただし、Ｎは正の整数である、
ことを特徴とする請求項１７に記載の掃除ロボット。
【請求項１９】
請求項１３に記載の掃除ロボットに用いられる掃除ロボットの制御方法であって、
前記拭き駆動機構により、前記第一回転盤及び第一モップが当該掃除ロボットのベースに対して前記第一回転盤の回転軸線周りに回転するように駆動して、且つ前記第二回転盤及び第二モップが当該掃除ロボットのベースに対して前記第二回転盤の回転軸線周りに回転するように駆動するステップを含み、
前記拭き駆動機構により前記第一回転盤と前記第二回転盤の回転を駆動する場合、前記第一回転盤と前記第二回転盤の回転方向が反対であり、且つ前記第一回転盤と前記第二回転盤の回転速度が同じように制御し、回転の過程において、前記第一モップと前記第二モップとの間の隙間は常に長径縁部と短径縁部との間に形成されている、
ことを特徴とする掃除ロボットの制御方法。
【請求項２０】
「前記拭き駆動機構により前記第一回転盤と前記第二回転盤の回転を駆動する場合」のステップの前に、さらに、
前記第一出力軸と前記第一軸スリーブとの間に複数の第一挿接位置が存在し、前記第二出力軸と前記第二軸スリーブとの間に複数の第二挿接位置が存在し、前記第一モップを一つの第一挿接位置に取り付け、前記第二モップを一つの第二挿接位置に取り付けて、前記第一回転中心と第二回転中心との連結線において、前記第一モップと第二モップとの間の隙間は前記第一長径縁部と前記第二短径縁部との間に形成されているか、或いは前記第一モップと第二モップとの間の隙間は前記第二長径縁部と前記第一短径縁部との間に形成されているステップを含む、
ことを特徴とする請求項１９に記載の掃除ロボットの制御方法。
【発明の詳細な説明】
【技術分野】
【０００１】
＜関連出願＞
本願は２０１８年８月２８日に提出された、出願番号２０１８１０９８７１４８．７、発明名称「拭き部材、拭き装置及び掃除ロボット」である中国特許出願の優先権を主張し、その全文を参考としてここに援用する。
本願は掃除機器の技術分野に関し、特に拭き部材、拭き装置、掃除ロボット及び掃除ロボットの制御方法に関する。
【背景技術】
【０００２】
ここで述べるものは本願に関連する背景情報を提供するだけであって、必然的に先行技術を構成するものではない。
【０００３】
掃除分野の発展に伴い、現在では、より多くの各種の掃除機器が登場し、その中でも、多くの掃除機器は円形の二つの回転盤の構造を採用して掃除する。即ち、二つのモップを回転させることで掃除する。しかしながら、加工上の誤差により、二つのモップ間では、縁部が接して且つ間に隙間を残さないようにすることは不可能である。モップが比較的小さいと、二つのモップ間には通常隙間が残され、モップが比較的大きいと、二つのモップが通常互いに押し合って変形し、二つのモップの間に隙間を形成してしまう。上記隙間により、従来の掃除機器による掃除時に、掃除エリア内の全てのほこりや汚れを一度に取り除くことが不可能であるので、多くの掃除機器では、掃除エリアに対して複数回の掃除を行わないと、掃除エリア内の全てのほこりや汚れをきれいに取り除くことができない。
【発明の概要】
【発明が解決しようとする課題】
【０００４】
本願は、従来の掃除機器により、掃除エリア内の全てのほこりや汚れを一度に取り除けない技術問題に対して、拭き部材、拭き装置、掃除ロボット及び掃除ロボットの制御方法を提案する。
【課題を解決するための手段】
【０００５】
上記技術問題を解決するために、一方では、本願の実施例が提案する拭き部材は掃除ロボットに用いられて、床を拭いたり清掃したりするためのものである。当該拭き部材は第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部と第一短径縁部とが互いに接続されている点は第一端点であり、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、前記第一端点から前記第一回転中心までの距離は前記回転中心距離の半分に等しく、
前記第二モップは第二長径縁部と第二短径縁部を含み、前記第二長径縁部と第二短径縁部とが互いに接続されている点は第二端点であり、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、前記第二端点から前記第二回転中心までの距離は前記回転中心距離の半分に等しく、
前記第一モップと第二モップの回転時に、前記第一回転中心と第二回転中心との連結線において、前記第一モップと第二モップとの間の隙間は前記第一長径縁部と前記第二短径縁部との間に形成されているか、或いは、前記第一モップと第二モップとの間の隙間は前記第二長径縁部と前記第一短径縁部との間に形成されている。
【０００６】
一方では、本願の実施例は、第一回転盤、第二回転盤及び上記の拭き部材とを含む拭き装置を提案し、前記第一回転盤の側辺と前記第二回転盤の側辺とが離間して設置され、前記第一モップは前記第一回転盤の底部に固定接続されて且つ前記第一回転盤に伴って回転し、前記第二モップは前記第二回転盤の底部に固定接続されて且つ前記第二回転盤に伴って回転し、前記第一回転盤の回転軸線は前記第一回転中心を通り、前記第二回転盤の回転軸線は前記第二回転中心を通る。
【０００７】
更に、本願の実施例は拭き駆動機構及び上記の拭き装置を含む掃除ロボットを提案する。前記拭き駆動機構の駆動により、前記第一回転盤及び第一モップが当該掃除ロボットのベースに対して前記第一回転盤の回転軸線周りに回転すでき、前記第二回転盤及び第二モップが当該掃除ロボットのベースに対して前記第二回転盤の回転軸線周りに回転できる。
【０００８】
更に、本願の実施例は、掃除ロボットに用いられる掃除ロボットの制御方法を提案する。前記掃除ロボットの制御方法は、前記拭き駆動機構により、前記第一回転盤及び第一モップが当該掃除ロボットのベースに対して前記第一回転盤の回転軸線周りに回転するように駆動して、且つ前記第二回転盤及び第二モップが当該掃除ロボットのベースに対して前記第二回転盤の回転軸線周りに回転するように駆動するステップを含み、前記拭き駆動機構により前記第一回転盤と前記第二回転盤の回転を駆動する場合、前記第一回転盤と前記第二回転盤の回転方向が反対であり、且つ前記第一回転盤と前記第二回転盤の回転速度が同じように制御し、回転の過程において、前記第一モップと前記第二モップとの間の隙間は常に長径縁部と短径縁部との間に形成されている。
【０００９】
本願の実施例が提案する拭き部材、拭き装置、掃除ロボット及び掃除ロボットの制御方法によれば、前記第一モップは一つの第一端点を通して接続されている第一長径縁部と第一短径縁部を含み、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さい。前記第一端点から前記第一回転中心までの距離は前記回転中心距離の半分に等しい。前記第二モップは一つの第二端点を通して接続されている第二長径縁部と第二短径縁部を含み、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さい。前記第二端点から前記第二回転中心までの距離は前記回転中心距離の半分に等しい。こうして、第一モップと第二モップの回転時に、その中の一つのモップの短径縁部がもう一つのモップの長径縁部に対応し、第一回転中心と第二回転中心との連結線において、その中の一つのモップの短径縁部ともう一つのモップの対応する長径縁部との間に、第一モップと第二モップ間の隙間が形成されている。第一モップ及び第二モップの回転時に当該隙間が絶え間なく左右に変化するので、例え第一モップ及び第二モップに加工上の誤差が存在するとしても、第一モップと第二モップの回転動作時に、第一モップと第二モップとの間の隙間位置をカバーできる。こうして、本実施例のモップは回転動作により、従来の二つの丸いモップによる作動時にできる中間の掃除されない隙間エリアをカバーして、掃除機器の掃除効率を向上させることが可能である。
【図面の簡単な説明】
【００１０】
【図１】本願の第一実施例が提案する拭き部材の模式図（準三角形）である。
【図２】本願の第一実施例が提案する拭き部材の第一モップと第二モップとの間の隙間幅が０より大きい場合の模式図である（前記第一回転中心と第二回転中心との連結線が第一短径縁部上の前記第一回転中心に最も近い一つの点及び第二長径縁部上の前記第二回転中心から最も遠い一つの点を通る）。
【図３】本願の第一実施例が提案する拭き部材の第一モップと第二モップとの間の隙間幅が０より大きい場合の模式図である（前記第一回転中心と第二回転中心との連結線が第一端点及び第二端点を通る）。
【図４】本願の第一実施例が提案する拭き部材の第一モップと第二モップとの間の隙間幅が０より大きい場合の模式図である（前記第一回転中心と第二回転中心との連結線が第二短径縁部上の前記第二回転中心に最も近い一つの点及び第一長径縁部上の前記第一回転中心から最も遠い一つの点を通る）。
【図５】本願の第一実施例が提案する拭き部材の第一モップと第二モップの回転時の両者間の隙間輪郭線図である。
【図６】本願の第一実施例が提案する拭き部材の第一モップと第二モップの回転時、第一モップが一つの第一挿接位置、第二モップが一つの第二挿接位置に回転した場合の模式図である。
【図７】本願の第一実施例が提案する拭き部材の第一モップと第二モップとの間の隙間幅が０であり、且つ前記第一モップと第二モップとが押されて干渉された場合の模式図である（前記第一回転中心と第二回転中心との連結線が第一短径縁部の前記第一回転中心に最も近い一つの点及び第二長径縁部上の前記第二回転中心から最も遠い一つの点を通る）。
【図８】本願の第一実施例が提案する拭き部材の基地におけるセルフクリーニングの原理図である。
【図９】本願の第二実施例が提案する拭き部材の模式図（準四角形）である。
【図１０】本願の第三実施例が提案する拭き部材の模式図（準楕円形）である。
【図１１】本願の第五実施例が提案する掃除ロボットの拭き駆動機構の模式図である。
【図１２】本願の第五実施例が提案する掃除ロボットの拭き駆動機構の第一出力軸及び第二出力軸の模式図である。
【図１３】本願の第五実施例が提案する掃除ロボットの拭き装置の模式図である。
【発明を実施するための形態】
【００１１】
本願が解決する技術的問題、技術案及び有益効果をより明らかにするために、以下では、添付図面及び実施例を組み合わせて本願をさらに詳しく説明する。ここで説明する具体的な実施例は本願を解釈するためだけに使われるのであって、本願を限定するために使われるのではないことは、理解しておくべきである。
【００１２】
＜第一実施例＞
図１から図８を参照し、本願の第一実施例が提案する拭き部材は掃除ロボットに用いられて、床を拭いたり清掃したりするためのものである。当該拭き部材は第一モップ１ａと第二モップ２ａを含み、第一モップ１ａは第一回転中心Ｏ１を有し、第二モップ２ａは第二回転中心Ｏ２を有し、第一回転中心Ｏ１と第二回転中心Ｏ２との距離が回転中心距離になる。回転中心距離は第一回転中心Ｏ１と第二回転中心Ｏ２との連結線Ｌの長さである。以下では、第一回転中心Ｏ１と第二回転中心Ｏ２との連結線を単に回転中心連結線Ｌと呼ぶ。
【００１３】
第一実施例において、第一モップ１ａ及び第二モップ２ａは概ね準三角形を呈する。
【００１４】
図１に示すように、第一モップ１ａは一つの第一端点を通して接続されている第一長径縁部１０１ａと第一短径縁部１０２ａを含み、第一長径縁部１０１ａ上の任意の一つの点から第一回転中心Ｏ１までの距離は回転中心距離の半分より大きく、第一短径縁部１０２ａ上の任意の一つの点から第一回転中心Ｏ１までの距離は回転中心距離の半分より小さい。第一端点から第一回転中心Ｏ１までの距離は回転中心距離の半分に等しい。
【００１５】
第二モップ２ａは一つの第二端点を通して接続されている第二長径縁部２０１ａと第二短径縁部２０２ａを含み、第二長径縁部２０１ａ上の任意の一つの点から第二回転中心Ｏ２までの距離は回転中心距離の半分より大きく、第二短径縁部２０２ａ上の任意の一つの点から第二回転中心Ｏ２までの距離は回転中心距離の半分より小さい。第二端点から第二回転中心Ｏ２までの距離は回転中心距離の半分に等しい。
【００１６】
図２から図４に示すように、第一モップ１ａと第二モップ２ａの回転時に、回転中心連結線Ｌにおいて、第一モップ１ａと第二モップ２ａとの間の隙間は第一長径縁部１０１ａと第二短径縁部２０２ａとの間に形成されているか、或いは、第一モップ１ａと第二モップ２ａとの間の隙間は第二長径縁部２０１ａと第一短径縁部１０２ａとの間に形成されている。
【００１７】
図２から図４は第一モップ１ａと第二モップ２ａ間の隙間幅が０より大きい場合の三つの異なる角度の隙間の模式図である。第一モップ１ａと第二モップ２ａとの隙間が０より大きいのは、通常、加工誤差によるものである。図２から図４からわかるように、ある瞬間に、三つの異なる角度の隙間のいずれにおいても未掃除エリアができる。未掃除エリアは即ちモップで掃除できなかったエリアであり、当該未掃除エリアは隙間によるものである。図２は回転中心連結線Ｌが第一短径縁部１０２ａ上の第一回転中心Ｏ１に最も近い一つの点及び第二長径縁部２０１ａ上の第二回転中心Ｏ２から最も遠い一つの点を通った状態図である。図３は回転中心連結線Ｌが第一端点及び第二端点を通った状態図である。図４は回転中心連結線Ｌが第二短径縁部２０２ａ上の第二回転中心Ｏ２に最も近い一つの点及び第一長径縁部１０１ａ上の第一回転中心Ｏ１から最も遠い一つの点を通る状態図である。図２、図３及び図４に示す三つの状態において、第一モップ１ａと第二モップ２ａとの間の隙をそれぞれＸ１、Ｘ２及びＸ３で図示する。
【００１８】
図１に示すように、第一モップ１ａと第二モップ２ａの側辺輪郭線の形状が同一である。第一モップ１ａは同じ複数本（ここでは３本）の第一長径縁部１０１ａ及び同じ複数本（ここでは３本）の第一短径縁部１０２ａを含み、複数本の第一長径縁部１０１ａと複数本の第一短径縁部１０２ａとが交互に接続され、第一長径縁部１０１ａ上の点から第一回転中心Ｏ１までの距離は二つの端点から中点へ次第に大きくなり、第一短径縁部１０２ａ上の点から第一回転中心Ｏ１までの距離は二つの端点から中点へ次第に小さくなる。ここでいう端点は第一長径縁部１０１ａと第一短径縁部１０２ａとの交点であり、即ち上記の第一端点である。複数本の第一長径縁部１０１ａと複数本の第一短径縁部１０２ａとが交互に接続された場合、各第一長径縁部１０１ａの両端はそれぞれ第一端点であり、各第一短径縁部１０２ａの両端はそれぞれ第一端点である。
【００１９】
第二モップ２ａは同じ複数本（ここでは３本）の第二長径縁部２０１ａ及び同じ複数本の第二短径縁部２０２ａを含み、複数本の第二長径縁部２０１ａと複数本の第二短径縁部２０２ａとが交互に接続され、第二長径縁部２０１ａ上の点から第二回転中心Ｏ２までの距離は二つの端点から中点へ次第に大きくなり、第二短径縁部２０２ａ上の点から第二回転中心Ｏ２までの距離は二つの端点から中点へ次第に小さくなる。ここでいう端点は第二長径縁部２０１ａと第二短径縁部２０２ａとの交点であり、即ち上記の第二端点である。複数本の第二長径縁部２０１ａと複数本の第二短径縁部２０２ａとが交互に接続された場合、各第二長径縁部２０１ａの両端はそれぞれ第二端点であり、各第二短径縁部２０２ａの両端はそれぞれ第二端点である。
【００２０】
これにより、第一長径縁部１０１ａ上の第一回転中心Ｏ１から最も遠い一つの点は第一長径縁部１０１ａの中点であり、第二長径縁部２０１ａ上の第二回転中心Ｏ２から最も遠い一つの点は第二長径縁部２０１ａの中点であり、第一短径縁部１０２ａ上の第一回転中心Ｏ１に最も近い一つの点は第一短径縁部１０２ａの中点であり、第二短径縁部２０２ａ上の第二回転中心Ｏ２に最も近い一つの点は第二短径縁部２０２ａの中点である。
【００２１】
図５は第一モップ１ａと第二モップ２ａの回転時の両者間の隙間輪郭線図であり、図におけるＬＫは隙間輪郭線図を示す。これによりわかるように、図２の隙間Ｘ１は図３及び図４に示す状態のいずれにおいても、第一モップ１ａと第二モップ２ａにより覆われる。同様に、図３の隙間Ｘ２は図２及び図４に示す状態のいずれにおいても、第一モップ１ａと第二モップ２ａにより覆われる。同様に、図４の隙間Ｘ３は図２及び図３に示す状態のいずれにおいても、第一モップ１ａと第二モップ２ａにより覆われる。掃除ロボットによる掃除時、第一モップ１ａと第二モップ２ａの回転速度が比較的高く、通常一秒間に数回転から数十回転になるので、掃除ロボットによりエリアを掃除する時、極短い時間で中間にあって掃除できなかったエリアをカバーでき、掃除ロボットの掃除効率を向上させる。
【００２２】
また、図５からわかるように、第一モップ１ａと第二モップ２ａの回転過程において、第一モップ１ａと第二モップ２ａとの間に形成された隙間の位置は常に変化している。これにより、前にできた隙間は極短い時間内で、後から回転してきた第一モップ１ａの第一長径縁部１０１ａ或いは第二モップ２ａの第二長径縁部２０１ａによりカバーされる。
【００２３】
図７は本願の第一実施例が提案する拭き部材の第一モップと第二モップとの隙間幅が０であり且つ第一モップ１ａと第二モップ２ａとが押されて干渉された模式図である。第一モップ１ａと第二モップ２ａとの隙間が０であり且つ押されて干渉されるのは、通常、加工誤差によるものである。このため、加工誤差によって寸法が大きすぎる第一モップ１ａと第二モップ２ａとの動作時にも、中間にあって掃除できなかったエリアを一度に掃除することが可能になる。それに、図８に示すように、加工寸法が大きすぎる第一モップ１ａと第二モップ２ａはさらに、掃除ロボットが基地３でモップのセルフクリーニングを行う時、第一モップ１ａと第二モップ２ａとの相互干渉により第一モップ１ａと第二モップ２ａの側辺をセルフクリーニングを行う機能を有しても良い。図６から図８において、ＧＳで干渉エリアを示している。図７に示すように、基地３には、モップの掃除効果を強化するように、掃除リブ３０１が設置されている。
【００２４】
通常の場合では、側辺を掃除するのに、モップの長径縁部と短径縁部に対して機構を設計して、モップをこすることでモップ側辺の掃除を実現することが必要である。しかしながら、モップの回転速度が比較的高く、長径縁部と短径縁部の長さの差が比較的大きいので、機構にとって、一定の変形量と一定の擦りに対する抵抗性が求められ、機構はコストが高すぎるか或いは寿命が短くなる傾向にある。
【００２５】
本願の実施例において、第一モップ１ａと第二モップ２ａの回転速度は同じであり、両者の接触点から回転中心までの距離は同じではない。例えば、一つのモップの長径縁部ともう一つのモップの短径縁部とが接触している。この場合、それらの接触する時に生じた線速度が異なり、速度の差を形成しているので、掃除効果の向上に寄与する。よって、第一モップ１ａと第二モップ２ａとの間の押し合いや干渉を利用して側辺のセルフクリーニングを行うのは、比較合理的な掃除方式である。
【００２６】
こうして、第一モップ及び第二モップが基地でセルフクリーニングを行う際、設計された第一モップ及び第二モップの寸法が大きすぎると、それらが同じ回転速度で動作する場合、干渉するエリアができる。例えば、一つのモップの長径縁部ともう一つのモップの短径縁部とが押されて干渉する。それらの接触する時に生じた線速度が異なり、速度の差を形成していることにより、モップ側辺のセルフクリーニングの効果を実現する。
【００２７】
いくつかの他の具体的な実現態様において、仮に第一モップ１ａと第二モップ２ａがちょうど誤差のないように設計されていれば、第一モップ１ａと第二モップ２ａとの間の隙間幅は０であり、第一モップ１ａと第二モップ２ａとがちょうど接触している。
【００２８】
第一実施例において、第一モップ１ａの底面と第二モップ２ａの底面とが面一になっている。
【００２９】
いくつかの例示において、第一モップ１ａの底面と第二モップ２ａの底面とが面一になっているとは、第一モップ１ａの底面と第二モップ２ａの底面とが永久に面一になっていることを指す。即ち、いずれの動作状態においても、第一モップ１ａの底面と第二モップ２ａの底面が常に面一に保たれている。
【００３０】
いくつかの他の例示において、第一モップ１ａの底面と第二モップ２ａの底面とが面一になっているとは、第一モップ１ａの底面と第二モップ２ａの底面とが一時に面一になっていることを指す。即ち、いくつかの動作状態において、第一モップ１ａの底面と第二モップ２ａに相対的偏向が生じなかった場合、第一モップ１ａの底面と第二モップ２ａの底面とがに面一になり、第一モップ１ａの底面と第二モップ２ａに相対的偏向が生じた場合、第一モップ１ａの底面と第二モップ２ａの底面とに面一ではない状態になってもよい。
【００３１】
第一実施例において、第一長径縁部１０１ａは第一回転中心Ｏ１から外へと凸出する弧形縁部であり、第一短径縁部１０２ａは直線縁部である。第二長径縁部２０１ａは第二回転中心Ｏ２から外へと凸出する弧形縁部であり、第二短径縁部２０２ａは直線縁部である。
【００３２】
しかしながら、第一実施例のいくつかの代替実施例において、第一短径縁部１０２ａも第一回転中心Ｏ１から外へと凸出する弧形縁部とすることができる。同様に、第二短径縁部２０２ａも第二回転中心Ｏ２から外へと凸出する弧形縁部とすることができる。
【００３３】
第一実施例は第一モップ１ａ及び第二モップ２ａが概ね準三角形を呈する場合を例として説明したが、本願実施例の第一モップと第二モップの側辺輪郭線は他の具体的な形状としてもよいことは、理解できるであろう。本願実施例では、第一モップと第二モップの側辺輪郭線形状については具体的限定せず、例えば、第一モップと第二モップの側辺輪郭線形状は第二実施例、或いは第三実施例に示す形状としてもよい。
【００３４】
＜第二実施例＞
図９を参照し、本願の第二実施例が提案する拭き部材は第一モップ１ｂと第二モップ２ｂを含み、第一モップ１ｂは第一回転中心Ｏ１を有し、第二モップ２ｂは第二回転中心Ｏ２を有し、第一回転中心Ｏ１と第二回転中心Ｏ２との距離が回転中心距離になる。回転中心距離は第一回転中心Ｏ１と第二回転中心Ｏ２との連結線Ｌの長さである。以下では、第一回転中心Ｏ１と第二回転中心Ｏ２との連結線を単に回転中心連結線Ｌと呼ぶ。
【００３５】
第二実施例において、第一モップ１ｂ及び第二モップ２ｂは概ね準四角形を呈する。
【００３６】
図９に示すように、第一モップ１ｂは一つの第一端点を通して接続されている第一長径縁部１０１ｂと第一短径縁部１０２ｂを含み、第一長径縁部１０１ｂ上の任意の一つの点から第一回転中心Ｏ１までの距離は回転中心距離の半分より大きく、第一短径縁部１０２ｂ上の任意の一つの点から第一回転中心Ｏ１までの距離は回転中心距離の半分より小さい。第一端点から第一回転中心Ｏ１までの距離は回転中心距離の半分に等しい。第二モップ２ｂは一つの第二端点を通して接続されている第二長径縁部２０１ｂと第二短径縁部２０２ｂを含み、第二長径縁部２０１ｂ上の任意の一つの点から第二回転中心Ｏ２までの距離は回転中心距離の半分より大きく、第二短径縁部２０２ｂ上の任意の一つの点から第二回転中心Ｏ２までの距離は回転中心距離の半分より小さい。第二端点から第二回転中心Ｏ２までの距離は回転中心距離の半分に等しい。
【００３７】
第一モップ１ｂと第二モップ２ｂの回転時に、回転中心連結線Ｌにおいて、第一モップ１ｂと第二モップ２ｂとの間の隙間は第一長径縁部１０１ｂと第二短径縁部２０２ｂとの間に形成されているか、或いは、第一モップ１ｂと第二モップ２ｂとの間の隙間は第二長径縁部２０１ｂと第一短径縁部１０２ｂとの間に形成されている。
【００３８】
図９に示すように、第一モップ１ｂと第二モップ２ｂの側辺輪郭線の形状が同一である。第一モップ１ｂは同じ複数本（ここでは４本）の第一長径縁部１０１ｂ及び複数本（ここでは４本）の第一短径縁部１０２ｂを含み、複数本の第一長径縁部１０１ｂと複数本の第一短径縁部１０２ｂとが交互に接続され、第一長径縁部１０１ｂ上の点から第一回転中心Ｏ１までの距離は二つの端点から中点へ次第に大きくなり、第一短径縁部１０２ｂ上の点から第一回転中心Ｏ１までの距離は二つの端点から中点へ次第に小さくなる。ここでいう端点は第一長径縁部１０１ｂと第一短径縁部１０２ｂとの交点である。
【００３９】
第二モップ２ｂは同じ複数本（ここでは４本）の第二長径縁部２０１ｂ及び同じ複数本の第二短径縁部２０２ｂを含み、複数本の第二長径縁部２０１ｂと複数本の第二短径縁部２０２ｂとが交互に接続され、第二長径縁部２０１ｂ上の点から第二回転中心Ｏ２までの距離は二つの端点から中点へ次第に大きくなり、第二短径縁部２０２ａ上の点から第二回転中心Ｏ２までの距離は二つの端点から中点へ次第に小さくなる。ここでいう端点は第二長径縁部２０１ｂと第二短径縁部２０２ｂとの交点である。
【００４０】
第二実施例の拭き部材は第一実施例の拭き部材と同様の機能を有する。第二実施例の拭き部材の具体的な実現方法については、第一実施例における関連説明を対応して参照できる。そして、第二実施例の拭き部材の他の説明されていない部分については、第一実施例の拭き部材の具体的な説明を参照できる。
【００４１】
＜第三実施例＞
図１０を参照し、本願の第三実施例が提案する拭き部材は第一モップ１ｃと第二モップ２ｃを含み、第一モップ１ｃは第一回転中心Ｏ１を有し、第二モップ２ｃは第二回転中心Ｏ２を有し、第一回転中心Ｏ１と第二回転中心Ｏ２との距離が回転中心距離になる。回転中心距離は第一回転中心Ｏ１と第二回転中心Ｏ２との連結線Ｌの長さである。以下では、第一回転中心Ｏ１と第二回転中心Ｏ２との連結線を単に回転中心連結線Ｌと呼ぶ。
【００４２】
第三実施例において、第一モップ１ｃ及び第二モップ２ｃは概ね準四角形を呈する。
【００４３】
図１０に示すように、第一モップ１ｃは一つの第一端点を通して接続されている第一長径縁部１０１ｃと第一短径縁部１０２ｃを含み、第一長径縁部１０１ｃ上の任意の一つの点から第一回転中心Ｏ１までの距離は回転中心距離の半分より大きく、第一短径縁部１０２ｃ上の任意の一つの点から第一回転中心Ｏ１までの距離は回転中心距離の半分より小さい。第一端点から第一回転中心Ｏ１までの距離は回転中心距離の半分に等しい。第二モップ２ｃは一つの第二端点を通して接続されている第二長径縁部２０１ｃと第二短径縁部２０２ｃを含み、第二長径縁部２０１ｃ上の任意の一つの点から第二回転中心Ｏ２までの距離は回転中心距離の半分より大きく、第二短径縁部２０２ｃ上の任意の一つの点から第二回転中心Ｏ２までの距離は回転中心距離の半分より小さい。第二端点から第二回転中心Ｏ２までの距離は回転中心距離の半分に等しい。
【００４４】
第一モップ１ｃと第二モップ２ｃの回転時に、回転中心連結線Ｌにおいて、第一モップ１ｃと第二モップ２ｃとの間の隙間は第一長径縁部１０１ｃと第二短径縁部２０２ｃとの間に形成されているか、或いは、第一モップ１ｃと第二モップ２ｃとの間の隙間は第二長径縁部２０１ｃと第一短径縁部１０２ｃとの間に形成されている。
【００４５】
図１０に示すように、第一モップ１ｃと第二モップ２ｃの側辺輪郭線の形状が同一である。第一モップ１ｃは同じ複数本（ここでは２本）の第一長径縁部１０１ｃ及び同じ複数本（ここでは２本）の第一短径縁部１０２ｃを含み、複数本の第一長径縁部１０１ｃと複数本の第一短径縁部１０２ｃとが交互に接続され、第一長径縁部１０１ｃ上の点から第一回転中心Ｏ１までの距離は二つの端点から中点へ次第に大きくなり、第一短径縁部１０２ｃ上の点から第一回転中心Ｏ１までの距離は二つの端点から中点へ次第に小さくなる。ここでいう端点は第一長径縁部１０１ｃと第一短径縁部１０２ｃとの交点である。
【００４６】
第二モップ２ｃは同じ複数本（ここでは２本）の第二長径縁部２０１ｃ及び同じ複数本の第二短径縁部２０２ｃを含み、複数本の第二長径縁部２０１ｃと複数本の第二短径縁部２０２ｃとが交互に接続され、第二長径縁部２０１ｃ上の点から第二回転中心Ｏ２までの距離は二つの端点から中点へ次第に大きくなり、第二短径縁部２０２ｃ上の点から第二回転中心Ｏ２までの距離は二つの端点から中点へ次第に小さくなる。ここでいう端点は第二長径縁部２０１ｃと第二短径縁部２０２ｃとの交点である。
【００４７】
第三実施例の拭き部材は第一実施例の拭き部材と同様の機能を有する。第三実施例の拭き部材の具体的な実現方法については、第一実施例における関連説明を対応して参照できる。そして、第三実施例の拭き部材の他の説明されていない部分については、第一実施例の拭き部材の具体的な説明を参照できる。
【００４８】
＜第四実施例＞
本願の第四実施例によれば、さらに拭き装置を提案する。当該拭き装置は第一回転盤５、第二回転盤６及び上記いずれか一つの実施例に記載の拭き部材とを含む。
【００４９】
第一回転盤５の側辺と第二回転盤６の側辺とが離間して設置されていることで、第一回転盤５と第二回転盤６とが接触することなく、相対的に独立して回転するようにする。第一モップは第一回転盤５の底部に固定接続されて且つ第一回転盤５に伴って回転し、第二モップは第二回転盤６の底部に固定接続されて且つ第二回転盤６に伴って回転し、第一回転盤５の回転軸線は第一回転中心Ｏ１を通り、第二回転盤６の回転軸線は第二回転中心Ｏ２を通る。
【００５０】
第一モップと第一回転盤５との接続方式、及び第二モップと第二回転盤６との接続方式としてはそれぞれ複数種類あり、取り外し可能な接続でもよく、取り外し不可能な接続でもよい。例えば、第一モップと第一回転盤５との接続方式、及び第二モップと第二回転盤６との接続方式は、接着、ボルト接続、第一モップと第一回転盤５との間に設置されたマジックテープ（登録商標）による貼り付け接続、或いはボタンによる係接などを含むが、これらに限定されるものではない。
【００５１】
好ましくは、第四実施例において、第一回転盤５の側辺輪郭線と第一モップの側辺輪郭線との形状が同じであり、第一回転盤５の側辺輪郭線は第一モップの側辺輪郭線内にある。第二回転盤６の側辺輪郭線と第二モップの側辺輪郭線との形状が同じであり、第二回転盤６の側辺輪郭線は第二モップの側辺輪郭線内にある。こうして、第一回転盤５と第二回転盤６とが接触しないように保つ場合、第一モップと第二モップとの間に一定の取付誤差及び／又は製造誤差範囲があってもよい。
【００５２】
具体的ないくつかの例示において、第一回転中心Ｏ１から外へ放射する異なる半直線に沿って、第一回転盤５の側辺輪郭線と第一モップとの側辺輪郭線との間の距離が等しく、第二回転中心Ｏ２から外へ放射する異なる半直線に沿って、第二回転盤６の側辺輪郭線と第二モップとの側辺輪郭線との間の距離が等しい。したがって、第一回転盤５から第一モップへの作用力が比較的均一であり、第二回転盤６から第二モップへの作用力が比較的均一である。
【００５３】
＜第五実施例＞
図１１から図１３に示すように、本願の第五実施例が提案する掃除ロボットは、拭き駆動機構及び上記第四実施例の拭き装置とを含む。拭き駆動機構４による駆動の下で、第一回転盤５及び第一モップ１ａは当該掃除ロボットのベースに対して第一回転盤５の回転軸線周りに回転でき、第二回転盤６及び第二モップ２ａは当該掃除ロボットのベースに対して第二回転盤６の回転軸線周りに回転できる。
【００５４】
好ましくは、第五実施例において、拭き駆動装置４は第一出力軸４０１及び第二出力軸４０２を含み、第一出力軸４０１の下端は第一回転盤５の回転中心位置に接続され、第二出力軸４０２の下端は第二回転盤６の回転中心位置に接続され、第一出力軸４０１の軸心は第一回転盤５の回転軸線と重なり合って、第二出力軸４０２の軸心は第二回転盤６の回転軸線と重なり合っている。
【００５５】
図１１及び図１２に示すように、拭き駆動機構４はさらにウォームモータ４０３、第一出力軸４０１と駆動するように接続されている第一ウォームホイール及び第二出力軸４０２と駆動するように接続されている第二ウォームホイールとを含み、ウォームモータ４０３はトルクを出力するためのものであり、第一ウォームホイール及び第二ウォームホイールは何れもウォームモータ４０３と噛み合って、第一出力軸４０１及び第二出力軸４０２にトルクを伝達する。具体的な動作過程としては、以下になる。ウォームモータ４０３により出力されたトルクは第一ウォームホイール及び第二ウォームホイールに伝達され、第一ウォームホイール及び第二ウォームホイールの回転を駆動し、そして第一ウォームホイールが第一出力軸４０１の回転を駆動し、第二ウォームホイールが第二出力軸４０２の回転を駆動する。第一出力軸４０１の下端が第一回転盤５の回転中心位置に接続され、第二出力軸４０２の下端が第二回転盤６の回転中心位置に接続されているので、拭き駆動機構４による駆動の下で、第一回転盤５及び第一モップは当該掃除ロボットのベースに対して第一回転盤５の回転軸線周りに回転でき、第二回転盤６及び第二モップは当該掃除ロボットのベースに対して第二回転盤６の回転軸線周りに回転できる。
【００５６】
図１３に示すように、第一回転盤５上には、第一出力軸４０１の形状に合わせた第一軸スリーブ５０１が設置されており、第一出力軸４０１は取り外し可能に第一軸スリーブ５０１内に挿接されている。第一軸スリーブ５０１を第一出力軸４０１の形状に合わせたとは、第一出力軸４０１が第一軸スリーブ５０１内に挿接できることを意味する。第一出力軸４０１の外周面と第一軸スリーブ５０１の内壁面とが互いに位置を制限して、第一出力軸４０１と第一軸スリーブ５０１との相対的回転を制限する。具体的に言うと、第一出力軸４０１の外周面上の位置制限面と第一軸スリーブ５０１の内壁面上の位置制限面とが互いに位置を制限して、第一出力軸４０１と第一軸スリーブ５０１との相対的回転を制限する。例えば、第一出力軸４０１の外周面と第一軸スリーブ５０１の内壁面の横断面は何れも同じ規定の正多角形であり、第一出力軸４０１が第一軸スリーブ５０１内に挿入されると、第一出力軸４０１の外周面は第一軸スリーブ５０１の内壁面と係接され、或いは、動作過程において、第一出力軸４０１の外周面の位置制限面と第一軸スリーブ５０１の内壁面の位置制限面とが互いに当接されることにより、第一出力軸４０１と第一軸スリーブ５０１との相対的回転を制限する。
【００５７】
第二回転盤６上には、第二出力軸４０２の形状に合わせた第二軸スリーブ６０１が設置されており、第二出力軸４０２は取り外し可能に第二軸スリーブ６０１内に挿接されている。第二軸スリーブ６０１を第二出力軸４０２の形状に合わせたとは、第二出力軸４０２が第二軸スリーブ６０１内に挿接できることを意味する。第二出力軸４０２の外周面と第二軸スリーブ６０１の内壁面とが互いに位置を制限して、第二出力軸４０２と第二軸スリーブ６０１との相対的回転を制限する。具体的に言うと、第二出力軸４０２の外周面上の位置制限面と第二軸スリーブ６０１の内壁面上の位置制限面とが互いに位置を制限して、第二出力軸４０２と第二軸スリーブ６０１との相対的回転を制限する。例えば、第二出力軸４０２の外周面と第二軸スリーブ６０１の内壁面の横断面は何れも同じ規定の正多角形であり、第二出力軸４０２が第二軸スリーブ６０１内に挿入されると、第二出力軸４０２の外周面は第二軸スリーブ６０１の内壁面と係接され、或いは、動作過程において、第二出力軸４０２の外周面の位置制限面と第二軸スリーブ６０１の内壁面の位置制限面とが互いに当接されることにより、第二出力軸４０２と第二軸スリーブ６０１との相対的回転を制限する。
【００５８】
第一出力軸４０１と第一軸スリーブ５０１とは複数の挿接位置を有することにより、第一回転盤５及び第一モップが掃除ロボットのベースに対して複数の取付位置を有するようにして、第二出力軸４０２と第二軸スリーブ６０１とは複数の挿接位置を有することにより、第二回転盤６及び第二モップが掃除ロボットのベースに対して複数の取付位置を有するようにして、これにより、第一モップ及び第二モップを目標相対取付位置（正確な相対角度）に位置させる。言い換えると、第一出力軸４０１が複数の挿接位置の中のいずれか一つの挿接位置で第一軸スリーブ５０１と挿接されて、且つ第二出力軸４０２が複数の挿接位置の中のいずれか一つの挿接位置で第二軸スリーブ６０１と挿接される場合、第一モップ及び第二モップは目標相対取付位置に位置できる。第一モップ及び第二モップが目標相対取付位置に位置する場合、回転中心連結線Ｌにおいて、第一モップと第二モップとの間の隙間は第一長径縁部と第二短径縁部との間に形成されているか、或いは、第一モップと第二モップとの間の隙間は第二長径縁部と第一短径縁部との間に形成されている。
【００５９】
これにより、第一モップと第二モップを組み合わせた時に、回転中心連結線Ｌにおいて、一つのモップの長径縁部がもう一つのモップの長径縁部と対応することで二つのモップが深刻に干渉して、正常に作動できない問題を避ける。或いは、第一モップと第二モップを組み合わせた時に、回転中心連結線Ｌにおいて、一つのモップの短径縁部がもう一つのモップの短径縁部と対応することで隙間が大きすぎる問題を避ける。
【００６０】
好ましくは、第一モップと第二モップは回転角度が規定角度の回転対称図形である。第一出力軸４０１と第一軸スリーブ５０１との複数の挿接位置の中で、隣り合う挿接位置の角度差の絶対値は規定角度のＮ倍であり、第二出力軸４０２と第二軸スリーブ６０１との複数の挿接位置の中で、隣り合う挿接位置の角度差の絶対値は規定角度のＮ倍であり、ただし、Ｎは正の整数である。こうして、初期配置で、第一出力軸４０１を第一軸スリーブ５０１と挿接し、且つ第二出力軸４０２を第二軸スリーブ６０１と挿接して、第一モップと第二モップとが回転する時、回転中心連結線Ｌにおいて、第一モップと第二モップとは長径縁部で短径縁部に対応できるように保証すれば、使用者が本実施例の掃除ロボットを使用する時、使用者は任意の選択可能な挿接位置で第一出力軸４０１と第一軸スリーブ５０１を挿接でき、且つ任意の選択可能な挿接位置で第二出力軸４０２と第二軸スリーブ６０１を挿接できる。例えば、第一モップと第二モップは回転角度が１２０度の回転対称図形である。即ち、第一モップが１２０度回転する度に回転前の形状と重なり合い、第二モップが１２０度回転する度に回転前の形状と重なり合う。この場合、第一出力軸４０１と第一軸スリーブ５０１とは３つの挿接位置を有し、第一出力軸４０１と第一軸スリーブ５０１との３つの挿接位置の中で、隣り合う挿接位置の角度差が１２０度である。また、第二出力軸４０２と第二軸スリーブ６０１とは３つの挿接位置を有し、第二出力軸４０２と第二軸スリーブ６０１との３つの挿接位置の中で、隣り合う挿接位置の角度差が１２０度である。
【００６１】
例えば、第一モップと第二モップが回転角が６０度の回転対称図形である場合、第一モップが６０度回転する度に回転前の形状と重なり合い、第二モップが６０度回転する度に回転前の形状と重なり合う。この場合、第一出力軸４０１と第一軸スリーブ５０１とは６つの挿接位置を有し、第一出力軸４０１と第一軸スリーブ５０１との６つの挿接位置の中で、隣り合う挿接位置の角度差が６０度である。また、第二出力軸４０２と第二軸スリーブ６０１とは６つの挿接位置を有し、第二出力軸４０２と第二軸スリーブ６０１との６つの挿接位置の中で、隣り合う挿接位置の角度差が６０度であり、他の実施例において、第一出力軸４０１と第一軸スリーブ５０１とは３つの挿接位置を有し、第一出力軸４０１と第一軸スリーブ５０１との３つの挿接位置の中で、隣り合う挿接位置の角度差が１２０度である。また、第二出力軸４０２と第二軸スリーブ６０１とは３つの挿接位置を有し、第二出力軸４０２と第二軸スリーブ６０１との３つの挿接位置の中で、隣り合う挿接位置の角度差が１２０度であり、或いは、第一出力軸４０１と第一軸スリーブ５０１とは２つの挿接位置を有し、第一出力軸４０１と第一軸スリーブ５０１との２つの挿接位置の中で、隣り合う挿接位置の角度差が１８０度である。また、第二出力軸４０２と第二軸スリーブ６０１とは２つの挿接位置を有し、第二出力軸４０２と第二軸スリーブ６０１との２つの挿接位置の中で、隣り合う挿接位置の角度差が１８０度である。
【００６２】
もう一つの実施例において、第一モップ及び第二モップは非回転対称図形であり、第一出力軸４０１と第一軸スリーブ５０１との複数の挿接位置の中で、隣り合う挿接位置の角度差の絶対値は規定角度のＮ倍であり、第二出力軸４０２と第二軸スリーブ６０１との複数の挿接位置の中で、隣り合う挿接位置の角度差の絶対値は規定角度のＮ倍であり、ただし、Ｎは正の整数である。こうして、初期配置で、第一出力軸４０１を第一軸スリーブ５０１と挿接し、且つ第二出力軸４０２を第二軸スリーブ６０１と挿接して、第一モップと第二モップとが回転する時、回転中心連結線Ｌにおいて、第一モップと第二モップとは長径縁部で短径縁部に対応できるように保証すれば、使用者が本実施例の掃除ロボットを使用する時、使用者は任意の選択可能な挿接位置で第一出力軸４０１と第一軸スリーブ５０１を挿接でき、且つ任意の選択可能な挿接位置で第二出力軸４０２と第二軸スリーブ６０１を挿接できる。
【００６３】
例えば、第一モップが一つの第一長径縁部と一つの第一短径縁部を有し、第二モップが一つの第二長径縁部と一つの第二短径縁部を有し、、第一モップが３６０度回転する度に回転前の形状と重なり合い、第二モップが３６０度回転する度に回転前の形状と重なり合う。この場合、第一出力軸４０１と第一軸スリーブ５０１とは１つの挿接位置を有し、そして、第二出力軸４０２と第二軸スリーブ６０１とは１つの挿接位置を有し、出力軸４０１、４０２或いは軸スリーブ５０１、６０１上にバックルなどの構造を設置することで、第一出力軸４０１と第一軸スリーブ５０１とが１つだけの挿接位置を有し、第二出力軸４０２と第二軸スリーブ６０１とが１つだけの挿接位置を有するようにすることが可能である。
【００６４】
上記実施例では、第一出力軸４０１を第一軸スリーブ５０１内に取り外し可能に挿接して、且つ第二出力軸４０２を第二軸スリーブ５０１内に取り外し可能に挿接する例で説明したが、本願の他の実施例において、第一出力軸４０１と第一回転盤５とは他の接続方式、例えば溶接、ねじ接続などを採用してもよく、第二出力軸４０２と第二回転盤６とも他の接続方式、例えば溶接、ねじ接続などを採用してもよいことは、理解できるであろう。
【００６５】
まとめると、前記掃除ロボットの使用や操作過程において、前記掃除ロボットの制御方法は、
前記拭き駆動機構４により、前記第一回転盤５及び第一モップ１ａが当該掃除ロボットのベースに対して前記第一回転盤５の回転軸線周りに回転するように駆動して、且つ前記第二回転盤６及び第二モップ２ａが当該掃除ロボットのベースに対して前記第二回転盤６の回転軸線周りに回転するように駆動ステップを含み、
前記拭き駆動機構４により前記第一回転盤５と前記第二回転盤６の回転を駆動する場合、前記第一回転盤５と前記第二回転盤６の回転方向が反対であり、且つ前記第一回転盤５と前記第二回転盤６の回転速度が同じように制御し、回転の過程において、前記第一モップ１ａと前記第二モップ２ａとの間の隙間は常に長径縁部と短径縁部との間に形成されている。
【００６６】
一つの実施例において「前記拭き駆動機構４により前記第一回転盤５と前記第二回転盤６の回転を駆動する場合」のステップの前に、さらに、
前記第一出力軸４０１と前記第一軸スリーブ５０１との間に複数の第一挿接位置が存在し、前記第二出力軸４０２と前記第二軸スリーブ６０１との間に複数の第二挿接位置が存在し、前記第一モップ１ａを一つの第一挿接位置に取り付け、前記第二モップ２ａを一つの第二挿接位置に取り付けて、前記第一回転中心と第二回転中心との連結線において、前記第一モップ１ａと第二モップ２ａとの間の隙間は前記第一長径縁部１０１ａと前記第二短径縁部２０２ａとの間に形成されているか、或いは前記第一モップ１ａと第二モップ２ａとの間の隙間は前記第二長径縁部２０１ａと前記第一短径縁部１０２ａとの間に形成されているステップを含む。
【００６７】
本願の実施例が提案する拭き部材、拭き装置及び掃除ロボットによれば、第一モップと第二モップの回転時に、その中の一つのモップの短径縁部がもう一つのモップの長径縁部に対応し、第一回転中心と第二回転中心との連結線において、その中の一つのモップの短径縁部ともう一つのモップの対応する長径縁部との間に、第一モップと第二モップ間の隙間が形成されている。二つのモップの回転時に当該隙間が絶え間なく左右に変化することで、本実施例のモップが回転動作により、従来の二つの丸いモップによる作動時にできる中間の掃除されない隙間エリアをカバーして、掃除機器の掃除効率を向上させることが可能である。
【００６８】
以上に述べたのは本願の好適な実施例に過ぎず、本願を制限するためのものではない。本願の精神と原則内で行われた任意の修正、均等物による置換、改良等は、いずれも本願の保護範囲内に含まれるべきである。
【図１】
2021535785.tif 000003
【図２】
2021535785.tif 000004
【図３】
2021535785.tif 000005
【図４】
2021535785.tif 000006
【図５】
2021535785.tif 000007
【図６】
2021535785.tif 000008
【図７】
2021535785.tif 000009
【図８】
2021535785.tif 000010
【図９】
2021535785.tif 000011
【図１０】
2021535785.tif 000012
【図１１】
2021535785.tif 000013
【図１２】
2021535785.tif 000014
【図１３】
2021535785.tif 000015
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
掃除ロボットに用いられて、床を拭いたり清掃したりするための拭き部材であって、第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、
前記第二モップは第二長径縁部と第二短径縁部を含み、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、
前記第一モップと第二モップの回転時に、前記第一回転中心と第二回転中心との連結線において、前記第一モップと前記第二モップとの間の隙間は前記第一長径縁部と前記第二短径縁部との間に形成されているか、或いは、前記第一モップと第二モップとの間の隙間は前記第二長径縁部と前記第一短径縁部との間に形成されている、
ことを特徴とする拭き部材。
【請求項２】
前記第一モップと前記第二モップの側辺輪郭線の形状が同一であり、
前記第一モップは同じ複数本の前記第一長径縁部及び同じ複数本の前記第一短径縁部を含み、複数本の前記第一長径縁部と複数本の前記第一短径縁部とが交互に接続され、前記第一長径縁部上の点から第一回転中心までの距離は二つの端点から中点へ次第に大きくなり、前記第一短径縁部上の点から第一回転中心までの距離は二つの端点から中点へ次第に小さくなり、
前記第二モップは同じ複数本の前記第二長径縁部及び同じ複数本の前記第二短径縁部を含み、複数本の前記第二長径縁部と複数本の前記第二短径縁部とが交互に接続され、前記第二長径縁部上の点から第二回転中心までの距離は二つの端点から中点へ次第に大きくなり、前記第二短径縁部上の点から第二回転中心までの距離は二つの端点から中点へ次第に小さくなる、
ことを特徴とする請求項１に記載の拭き部材。
【請求項３】
前記第一長径縁部は前記第一回転中心から外へと凸出する弧形縁部であり、前記第一短径縁部は直線縁部であり或いは前記第一回転中心から外へと凸出する弧形縁部であり、
前記第二長径縁部は前記第二回転中心から外へと凸出する弧形縁部であり、前記第二短径縁部は直線縁部であり或いは前記第二回転中心から外へと凸出する弧形縁部である、
ことを特徴とする請求項２に記載の拭き部材。
【請求項４】
第一回転盤、第二回転盤及び拭き部材とを含む拭き装置であって、前記第一回転盤の側辺と前記第二回転盤の側辺とが離間して設置され、前記拭き部材は第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、
前記第二モップは第二長径縁部と第二短径縁部を含み、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、
前記第一モップと第二モップの回転時に、前記第一回転中心と第二回転中心との連結線において、前記第一モップと第二モップとの間の隙間は前記第一長径縁部と前記第二短径縁部との間に形成されているか、或いは、前記第一モップと第二モップとの間の隙間は前記第二長径縁部と前記第一短径縁部との間に形成されており、
前記第一モップは前記第一回転盤の底部に固定接続されて且つ前記第一回転盤に伴って回転し、前記第二モップは前記第二回転盤の底部に固定接続されて且つ前記第二回転盤に伴って回転し、前記第一回転盤の回転軸線は前記第一回転中心を通り、前記第二回転盤の回転軸線は前記第二回転中心を通る、
ことを特徴とする拭き装置。
【請求項５】
前記第一回転盤の側辺輪郭線は前記第一モップの側辺輪郭線内にあり、
前記第二回転盤の側辺輪郭線は前記第二モップの側辺輪郭線内にある、
ことを特徴とする請求項４に記載の拭き装置。
【請求項６】
前記第一モップと前記第二モップの側辺輪郭線の形状が同一であり、
前記第一モップは同じ複数本の前記第一長径縁部及び同じ複数本の前記第一短径縁部を含み、複数本の前記第一長径縁部と複数本の前記第一短径縁部とが交互に接続され、前記第一長径縁部上の点から第一回転中心までの距離は二つの端点から中点へ次第に大きくなり、前記第一短径縁部上の点から第一回転中心までの距離は二つの端点から中点へ次第に小さくなり、
前記第二モップは同じ複数本の前記第二長径縁部及び同じ複数本の前記第二短径縁部を含み、複数本の前記第二長径縁部と複数本の前記第二短径縁部とが交互に接続され、前記第二長径縁部上の点から第二回転中心までの距離は二つの端点から中点へ次第に大きくなり、前記第二短径縁部上の点から第二回転中心までの距離は二つの端点から中点へ次第に小さくなる、
ことを特徴とする請求項４に記載の拭き装置。
【請求項７】
前記第一長径縁部は前記第一回転中心から外へと凸出する弧形縁部であり、前記第一短径縁部は直線縁部或いは前記第一回転中心から外へと凸出する弧形縁部であり、
前記第二長径縁部は前記第二回転中心から外へと凸出する弧形縁部であり、前記第二短径縁部は直線縁部であり或いは前記第二回転中心から外へと凸出する弧形縁部である、
ことを特徴とする請求項４又は６に記載の拭き装置。
【請求項８】
拭き駆動機構及び拭き装置を含む掃除ロボットであって、前記拭き装置は第一回転盤、第二回転盤及び拭き部材とを含み、前記第一回転盤の側辺と前記第二回転盤の側辺とが離間して設置され、前記拭き部材は第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、
前記第二モップは第二長径縁部と第二短径縁部を含み、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、
前記第一モップと第二モップの回転時に、前記第一回転中心と第二回転中心との連結線において、前記第一モップと第二モップとの間の隙間は前記第一長径縁部と前記第二短径縁部との間に形成されているか、或いは、前記第一モップと第二モップとの間の隙間は前記第二長径縁部と前記第一短径縁部との間に形成されており、
前記第一モップは前記第一回転盤の底部に固定接続されて且つ前記第一回転盤に伴って回転し、前記第二モップは前記第二回転盤の底部に固定接続されて且つ前記第二回転盤に伴って回転し、前記第一回転盤の回転軸線は前記第一回転中心を通り、前記第二回転盤の回転軸線は前記第二回転中心を通り、
前記拭き駆動機構による駆動の下で、前記第一回転盤及び第一モップが当該掃除ロボットのベースに対して前記第一回転盤の回転軸線周りに回転でき、前記第二回転盤及び第二モップが当該掃除ロボットのベースに対して前記第二回転盤の回転軸線周りに回転できる、
ことを特徴とする掃除ロボット。
【請求項９】
前記拭き駆動装置は第一出力軸及び第二出力軸を含み、前記第一出力軸の下端は前記第一回転盤の回転中心位置に接続され、前記第二出力軸の下端は前記第二回転盤の回転中心位置に接続され、前記第一出力軸の軸心は前記第一回転盤の回転軸線と重なり合って、前記第二出力軸の軸心は前記第二回転盤の回転軸線と重なり合っている、
ことを特徴とする請求項８に記載の掃除ロボット。
【請求項１０】
前記第一回転盤上には、前記第一出力軸の形状に合わせた第一軸スリーブが設置されており、前記第一出力軸は取り外し可能に前記第一軸スリーブ内に挿接され、前記第一出力軸の外周面と前記第一軸スリーブの内壁面とが互いに位置を制限して、前記第一出力軸と前記第一軸スリーブとの相対的回転を制限し、
前記第二回転盤上には、前記第二出力軸の形状に合わせた第二軸スリーブが設置されており、前記第二出力軸は取り外し可能に前記第二軸スリーブ内に挿接され、前記第二出力軸の外周面と前記第二軸スリーブの内壁面とが互いに位置を制限して、前記第二出力軸と前記第二軸スリーブとの相対的回転を制限する
ことを特徴とする請求項９に記載の掃除ロボット。
【請求項１１】
前記第一出力軸と前記第一軸スリーブとは複数の第一挿接位置を有することにより、前記第一回転盤及び第一モップが掃除ロボットのベースに対して複数の第一取付位置を有するようにして、前記第二出力軸と前記第二軸スリーブとは複数の第二挿接位置を有することにより、前記第二回転盤及び第二モップが掃除ロボットのベースに対して複数の第二取付位置を有するようにして、これにより、前記第一モップ及び第二モップを目標相対取付位置に位置させ、前記第一モップ及び第二モップが目標相対取付位置に位置する場合、前記第一回転中心と第二回転中心との連結線において、前記第一モップと第二モップとの間の隙間は前記第一長径縁部と前記第二短径縁部との間に形成されているか、或いは、前記第一モップと第二モップとの間の隙間は前記第二長径縁部と前記第一短径縁部との間に形成されている、
ことを特徴とする請求項１０に記載の掃除ロボット。
【請求項１２】
前記第一モップが前記第一回転中心周りに規定角度回転する度に回転前の形状と重なり合い、前記第二モップが前記第二回転中心周りに規定角度回転する度に回転前の形状と重なり合い、前記第一出力軸と前記第一軸スリーブとの間に複数の第一挿接位置が存在し、隣り合う第一挿接位置の間の回転角度が前記規定角度のＮ倍であり、
前記第二出力軸と前記第二軸スリーブとの間に複数の第二挿接位置が存在し、隣り合う第二挿接位置の間の回転角度が前記規定角度のＮ倍であり、ただし、Ｎは正の整数である、
ことを特徴とする請求項１０に記載の掃除ロボット。
【請求項１３】
拭き駆動機構及び拭き装置を含む掃除ロボットであって、前記拭き装置は拭き部材とを含み、前記拭き部材は第一モップと第二モップを含み、前記第一モップは第一回転中心を有し、前記第二モップは第二回転中心を有し、前記第一回転中心と前記第二回転中心との距離が回転中心距離になり、
前記第一モップは第一長径縁部と第一短径縁部を含み、前記第一長径縁部上の任意の一つの点から前記第一回転中心までの距離は前記回転中心距離の半分より大きく、前記第一短径縁部上の任意の一つの点から前記第一回転中心までの距離は前記回転中心距離の半分より小さく、
前記第二モップは第二長径縁部と第二短径縁部を含み、前記第二長径縁部上の任意の一つの点から前記第二回転中心までの距離は前記回転中心距離の半分より大きく、前記第二短径縁部上の任意の一つの点から前記第二回転中心までの距離は前記回転中心距離の半分より小さく、
前記第一モップと第二モップは前記拭き駆動装置による駆動の下で回転し、前記第一モップと第二モップとの間の隙間は前記第一長径縁部と前記第二短径縁部との間或いは前記第二長径縁部と前記第一短径縁部との間に形成されている
ことを特徴とする掃除ロボット。
【請求項１４】
前記拭き装置はさらに第一回転盤、第二回転盤を含み、前記第一回転盤の側辺と前記第二回転盤の側辺とは離間して設置されており、
前記第一モップは前記第一回転盤の底部に固定接続されて且つ前記第一回転盤に伴って回転し、前記第二モップは前記第二回転盤の底部に固定接続されて且つ前記第二回転盤に伴って回転し、
前記拭き駆動機構による駆動の下で、前記第一回転盤及び第一モップが当該掃除ロボットのベースに対して前記第一回転盤の回転軸線周りに回転でき、前記第二回転盤及び第二モップが当該掃除ロボットのベースに対して前記第二回転盤の回転軸線周りに回転できる
ことを特徴とする請求項１３に記載の掃除ロボット。
【請求項１５】
前記拭き駆動機構は第一出力軸及び第二出力軸を含み、
前記第一回転盤上には第一軸スリーブが設置されており、前記第一出力軸は前記第一軸スリーブ内に挿接され、且つ前記第一軸スリーブとが互いに位置を制限して、前記第一出力軸と前記第一軸スリーブとの相対的回転を制限し、
前記第二回転盤上には第二軸スリーブが設置されており、前記第二出力軸は前記第二軸スリーブ内に挿接され、且つ前記第二軸スリーブとが互いに位置を制限して、前記第二出力軸と前記第二軸スリーブとの相対的回転を制限する
ことを特徴とする請求項１４に記載の掃除ロボット。
【請求項１６】
前記第一出力軸の外周面と前記第一軸スリーブの内壁面とが互いに位置を制限して、前記第二出力軸の外周面と前記第二軸スリーブの内壁面とが互いに位置を制限している
ことを特徴とする請求項１５に記載の掃除ロボット。
【請求項１７】
前記第一軸スリーブの前記第一出力軸に対する位置を調整することで、前記第一モップが掃除ロボットのベースに対して位置を調整できるようにし、
前記第二軸スリーブの前記第二出力軸に対する位置を調整することで、前記第二モップが掃除ロボットのベースに対して位置を調整できるようにし、これにより、前記第一モップと第二モップとの間の隙間が前記第一長径縁部と前記第二短径縁部との間或いは前記第二長径縁部と前記第一短径縁部との間に形成されるようにする
ことを特徴とする請求項１５に記載の掃除ロボット。
【請求項１８】
前記第一モップが前記第一回転中心周りに規定角度回転する度に回転前の形状と重なり合い、前記第二モップが前記第二回転中心周りに規定角度回転する度に回転前の形状と重なり合い、前記第一出力軸と前記第一軸スリーブとの間に複数の第一挿接位置が存在し、隣り合う前記第一挿接位置の間の回転角度が前記規定角度のＮ倍であり、前記第二出力軸と前記第二軸スリーブとの間に複数の第二挿接位置が存在し、隣り合う前記第二挿接位置の間の回転角度が前記規定角度のＮ倍であり、ただし、Ｎは正の整数である
ことを特徴とする請求項１５又は１７に記載の掃除ロボット。
【請求項１９】
請求項８又は１４に記載の掃除ロボットに用いられる掃除ロボットの制御方法であって、
前記拭き駆動機構により、前記第一回転盤及び第一モップが当該掃除ロボットのベースに対して前記第一回転盤の回転軸線周りに回転するように駆動して、且つ前記第二回転盤及び第二モップが当該掃除ロボットのベースに対して前記第二回転盤の回転軸線周りに回転するように駆動するステップを含み、
前記拭き駆動機構により前記第一回転盤と前記第二回転盤の回転を駆動する場合、前記第一回転盤と前記第二回転盤の回転方向が反対であり、且つ前記第一回転盤と前記第二回転盤の回転速度が同じように制御し、回転の過程において、前記第一モップと前記第二モップとの間の隙間は常に長径縁部と短径縁部との間に形成されている、
ことを特徴とする掃除ロボットの制御方法。
【請求項２０】
前記拭き駆動機構は第一出力軸及び第二出力軸とを含み、前記第一回転盤上には、前記第一出力軸の形状に合わせた第一軸スリーブが設置されており、前記第一出力軸は取り外し可能に前記第一軸スリーブ内に挿接され、前記第一出力軸の外周面と前記第一軸スリーブの内壁面とが互いに位置を制限して、前記第一出力軸と前記第一軸スリーブとの相対的回転を制限し、
前記第二回転盤上には、前記第二出力軸の形状に合わせた第二軸スリーブが設置されており、前記第二出力軸は取り外し可能に前記第二軸スリーブ内に挿接され、前記第二出力軸の外周面と前記第二軸スリーブの内壁面とが互いに位置を制限して、前記第二出力軸と前記第二軸スリーブとの相対的回転を制限し、
「前記拭き駆動機構により前記第一回転盤と前記第二回転盤の回転を駆動する場合」のステップの前に、さらに、
前記第一出力軸と前記第一軸スリーブとの間に複数の第一挿接位置が存在し、前記第二出力軸と前記第二軸スリーブとの間に複数の第二挿接位置が存在し、前記第一モップを一つの第一挿接位置に取り付け、前記第二モップを一つの第二挿接位置に取り付けて、前記第一回転中心と第二回転中心との連結線において、前記第一モップと第二モップとの間の隙間は前記第一長径縁部と前記第二短径縁部との間に形成されているか、或いは前記第一モップと第二モップとの間の隙間は前記第二長径縁部と前記第一短径縁部との間に形成されているステップを含む、
ことを特徴とする請求項１９に記載の掃除ロボットの制御方法。
【国際調査報告】
2021535785.tif 000016
2021535785.tif 000017
2021535785.tif 000018
2021535785.tif 000019